(57)【特許請求の範囲】
【請求項１】
回路基板に配置され、相手側電気コネクタとしての当接コネクタを当接させるために用いられる電気コネクタであって、
電気コネクタの後端部に設けられた根部と、該根部から前方へ延伸され、平行な方向に形成された第１当接板及び第２当接板と、を備え、これらの当接板に複数の端子収容穴が設けられ、当該端子収容穴が後方へ延伸して前記根部を貫通している絶縁本体と、
前記端子収容穴に対応して収容されて前記当接コネクタに当接する当接部と、該当接部から後方へ延伸された固着部と、該固着部に接続され且つ前記絶縁本体から延出して回路基板上の電気回路に対応して接続される接合部と、を含む複数の導電端子と、
前記絶縁本体の前記第１及び第２当接板の外周を囲み、内部に第１収容空間を画成し、直立方向に形成された両側壁と、水平方向に形成されて前記両側壁に一体に接続されている頂壁及び底壁とを有し、且つその側壁の後端部に切欠口を設け、該切欠口の下方に鋭い圧接部が形成された内遮蔽ハウジングと、
前記絶縁本体の根部の外周を囲み、且つ前方へ延伸され、前記内遮蔽ハウジングとの間に第２収容空間を形成し、前記第１収容空間及び第２収容空間が前記当接コネクタの当接部分を組み込ませるように設けられた外遮蔽ハウジングと、
前記内遮蔽ハウジングに隣接する前記絶縁本体の部分に組付けられ、前記絶縁本体に係合する主本体部と、主本体部の先端から延出されるように前記切欠口に対応したヘッド部と、ヘッド部から延出した接触部と、前記絶縁本体から延出された接合部と、を少なくとも含み、該接合部は、回路基板の接地回路に対応して接続され、該接触部前記切欠口の下方の圧接部に圧接する接地部材と、
を含むことを特徴とする電気コネクタ。
【請求項２】
前記上方にある第１当接板の下表面及び下方にある第２当接板の上表面にそれぞれ複数の互いに平行な端子収容穴が設けられ、該端子収容穴の終端は「凸」字形開口を形成し、前記導電端子は、前記端子収容穴に収容するように上列及び下列に配列され、前記固着部は、当接部から後方へ延出した第１固着部と、該第１固着部から後方へ曲折して延出した第２固着部を含み、該第１固着部は、前記端子収容穴の終端の「凸」字形開口に係止していることを特徴とする請求項１記載の電気コネクタ。
【請求項３】
前記第２当接板の中央部は、第１当接板の方向へ延伸する突条を有することを特徴とする請求項２記載の電気コネクタ。
【請求項４】
前記根部は、直立方向に形成された上列溝及び下列溝を有し、かつ前記上列溝は、前記下列溝の後方に配置され、当該溝は、前記導電端子の第２固着部と係合していることを特徴とする請求項２記載の電気コネクタ。
【請求項５】
前記内遮蔽ハウジングの側壁の後端は、板体状に形成され、且つ板体の前部に後方から前方へ板体から突出された圧接片が形成され、前記板体状の後部は、やや下方に位置した所に矩形切欠口を有し、前記根部の両側には外遮蔽ハウジングに近接した位置に直立方向へスリットが形成され、前記内遮蔽ハウジングの後端の板体を収容するのに用いられ、前記圧接片は前記スリットに圧接されることで、内遮蔽ハウジングを固着するように構成されていることを特徴とする請求項１記載の電気コネクタ。
【請求項６】
前記スリットの中央部は、外遮蔽ハウジングへ延伸され、スリットにつながる横方向のグルーブを形成し、該グルーブの末端には、狭くなって下方に貫通するスロットが形成され、前記グルーブの上部と前記スロットの下方には、底端に隣接した位置に両側が各々広くなるようにして拡張部が形成されていることを特徴とする請求項５記載の電気コネクタ。
【請求項７】
前記接地部材は、直立方向に設置される第１主本体部と第２主本体部とを有し、該第１主本体部と該第２主本体部は、同一平面で交互して設置され、且つ前記第２主本体部は、第１主本体部より短手方向に広く形成され、かつ該両本体部は円弧部により接続され、前記第１主本体部は、前記根部の横向きのグルーブ内に収容され、前記第２主本体部は、前記根部のスロット内に収容されることを特徴とする請求項６記載の電気コネクタ。
【請求項８】
前記接地部材の前記第１主本体部の先端からヘッド部が上方へ延伸され、該ヘッド部の両側に前記スロットの拡張部に係合する第１干渉部が設けられ、前記ヘッド部の末端には、曲折部が後方へ延伸され、該曲折部から水平後方に延伸されさらに下向きに傾けて延伸された接触部が形成され、且つ該接触部は、前記切欠口の下方の圧接部に圧接されて上向きに変形するように形成されていることを特徴とする請求項７記載の電気コネクタ。
【請求項９】
前記接地部材には、第２主本体部から下向きに曲折して延伸された広い板状の接合部が形成され、接地部材の第２主本体部には、前記接合部と所定の距離を隔てて前記根部のグルーブに係合する第２干渉部が形成されることを特徴とする請求項７記載の電気コネクタ。
【請求項１０】
前記外遮蔽ハウジングは、根部の外周を被覆する遮蔽枠体及び根部の後端面を被覆する遮蔽ボトムカバーを含み、遮蔽枠体の後端の下方に矩形孔を有し、遮蔽ボトムカバーの両側の下方に方枠状板体が遮蔽枠体の方向に延伸され、該板体の中央に係合片が設けられ、該係合片が遮蔽枠体にある前記矩形孔と係合していることを特徴とする請求項１記載の電気コネクタ。
【発明の詳細な説明】
【０００１】
【発明の属する技術分野】
本発明は、一種の電気コネクタに関し、特に高速のデータ伝送に用いられ、且つＩＥＥＥ １３９４ｂ伝送規準に合致するレセプタクルコネクタに関する。
【０００２】
【従来の技術】
当業者におけるＩＥＥＥ １３９４コネクタは、米国電気電子学会（Institute of Electrical and Electronics Engineers；IEEE）が制定した高速並列のユニバーサル規格に準拠する電気コネクタであり、ハードディスク、コンパクトディスクなどの大容量記憶装置のインターフェースに用いられ、プリンタ、スキャナー等のコンピューター周辺機器、及びデジタルテレビ、セット・トップ・ボックス、ビデオカメラ等の消費類電子製品に応用される。その後、次々にＩＥＥＥ １３９４−１９９５及びＩＥＥＥ １３９４ａの両種規格に合致するコネクタが開発され、その伝送速度と機能は適宜高められてきた。最近になって、高速、長距離型のＩＥＥＥ １３９４ｂ規格が確立されたが、該規格は、１３９４基本規格に対して著しい改善がなされている上、完全に従来のＩＥＥＥ １３９４−１９９５とＩＥＥＥ １３９４ａ規格を兼ねている。このため、伝送速度は８００Mbpsまで高められ、しかも長さが１００メートルでデータ伝送速度が少なくとも１００Mbpsに保持されるＵＴＰ−５（Unshielded TwistPaired）、プラスチックファイバとガラスファイバなどを用いた長距離伝送に役立っている。高速及び長距離伝送におけるこの明らかな長所のゆえに、ＩＥＥＥ １３９４は、ＰＣ製品、通信系統及びホームネットワークの整合性インターフェースの動向を左右する。ＩＥＥＥ １３９４ｂ規格に準拠する当該高速のデータ伝送の電気コネクタについては、シールド機能は特に必要である。このため、前記電気コネクタは、一般的に内層、外層の両層に遮蔽ハウジングが設けられ、電磁波障害を防止するのに用いられている。該遮蔽ハウジングは、接地され、これによりシールド機能が高められ、静電気を逃がす効果が得られる。前記外遮蔽ハウジング（外層遮蔽ハウジング）には接地部材を設けやすいので、該外遮蔽ハウジングの底部から接地片を一体に延出させることにより、回路基板の接地回路を接続することができる。前記内遮蔽ハウジング（内層遮蔽ハウジング）は、電気コネクタの中央部に設置され、その一部分が絶縁本体に嵌め込まれているので、接地部材を設けにくく、かつ該内遮蔽ハウジングに接地機能を持たせることが難しくなる。こうして、前記内遮蔽ハウジングから一体に延出された接地片が設けられて内遮蔽ハウジングがコネクタ外部から直接に露出した部分を有しないので、前記接地片の存在のために内遮蔽ハウジングが打抜き成型及び折曲の難しさの点で改善されなけらばならなくなり、しかも接地片と内遮蔽ハウジングとの接続箇所が折れて切断しやすくなっている。
【０００３】
このため、接地部材をいかにして容易かつ有効に設置して、前記電気コネクタの内遮蔽ハウジングを接続させ、該内遮蔽ハウジングを接地させるかということが、当業者の技術上の難題になっていた。
【０００４】
【発明が解決しようとする課題】
本発明は、一種の優れた接地効果及び電磁シールド機能を持っている電気コネクタを提供することを目的とする。
【０００５】
さらに、本発明は、単独に製造され、取り換えやすく、かつ回路基板を安定して接続できる接地部材が設けられた内遮蔽ハウジングを有する電気コネクタを提供することを目的とする。
【０００６】
【課題を解決するための手段】
本発明に係る電気コネクタは、回路基板に設置し、相手側電気コネクタを当接させるものであって、該電気コネクタは、絶縁本体、複数導電端子、内遮蔽ハウジング、外遮蔽ハウジング及び接地部材等を備え、前記絶縁本体は、電気コネクタの後端に設けられた根部を有し、該根部から平行な一対の当接板が前方へ延伸して形成され、該当接板上に複数の端子収容穴が設けられ、当該端子収容穴は、後方へ延伸して前記根部を貫通している。前記複数の導電端子は、前記端子収容穴に対応して収容され、該各導電端子は、相手側電気コネクタと当接させる当接部と、当接部から後方へ延伸された固着部と、固着部に接続されて絶縁本体から延出し回路基板の電気回路に対応して接続される接合部と、を備えている。前記内遮蔽ハウジングは、前記絶縁本体の当接板の外周に被覆され、その側壁の後端は矩形切欠口を有し、前記当接板と内遮蔽ハウジングの両側壁との間に第一収容空間を画成する。前記外遮蔽ハウジングは、絶縁本体の根部の外周に被覆され、且つ前方へ延伸して枠体状に形成される。前記内遮蔽ハウジング及び外遮蔽ハウジングの間に第２収容空間が形成され、該第１収容空間、２収容空間は、当接コネクタの当接部分を組み込むために用いられる。前記接地部材は、内遮蔽ハウジングに隣接した絶縁本体に組付けられ、前記内遮蔽ハウジングの後端の矩形切欠口に位置するヘッド部と、内遮蔽ハウジングに圧接された圧接部と、絶縁本体に係合する本体部と、絶縁本体から延出した接合部と、を少なくとも含み、該接合部が回路基板の接地回路に対応して接続され、これにより接地が実現されることになる。
【０００７】
【発明の実施の形態】
図１乃至図４に示すように、本発明に係る電気コネクタは、高速のデータ伝送に用いられ、且つＩＥＥＥ １３９４ｂ伝送標準に合致するレセプタクルコネクタであって、絶縁本体１と、複数導電端子５と、内遮蔽ハウジング２と、外遮蔽ハウジング３と、接地部材６などを含む。
【０００８】
前記絶縁本体１は、電気コネクタの後端部に設けられた根部１３を有し、該根部１３から平行な一対の当接板１１１、１１２が前方へ延伸して形成され、上方にある第１当接板１１１の下表面及び下方にある第２当接板１１２の上表面にそれぞれ複数の端子収容穴１２が設けられ、当該端子収容穴１２は、後方へ延伸され前記根部１３を貫通し、その終端には「凸」字形開口１３４を有している。前記第２当接板１１２の中央部から前記第１当接板１１１方向へ突条１１３が突設されている。前記根部１３の後端部の下方には直立方向（ないし上下方向）に複数溝１３５が形成され、該根部１３の前記溝１３５の上方に位置した部分も、溝１３５よりやや後方に複数溝１３９が対応して形成され、当該溝１３５，１３９に、導電端子５の部分が対応して収容されている。また、根部１３の両側には、外遮蔽ハウジング３に近接した位置にスリット１３１が直立方向に形成され、前記内遮蔽ハウジング２が収容されている。該スリット１３１の中央部は、短手方向の両側にスリット１３１につながる横向きのグルーブ１３２が延伸して形成され、該グルーブ１３２の終端が狭くなり且つ下方に貫通するようにスロット１３３が形成され、前記グルーブ１３２の上部とスロット１３３の下部には、底端に近接した位置に両側が広くなるようにして拡張部１３２１、１３３１が形成されている。
【０００９】
図４に示すように、前記導電端子５は、上側及び下側の上、下両列に並べられて設置され、相手側電気コネクタとして当接コネクタ（図示せず）に当接する当接部５２と、該当接部５２から後方へ延出された第１固着部５１と、該第１固着部５１から後方へ曲折して延出された第２固着部５３と、該第２固着部５３につながり下方に向けて根部１３から延出され、回路基板の電気回路に対応して接続される接合部５４と、を含む。本実施の形態において、該接合部５４は、表面実装技術（ＳＭＴ）により、回路基板に半田付けされる。前記当接部５２は、前記端子収容穴１２内に収容され、前記第１固着部５１は、前記端子収容穴１２の終端の「凸」字形開口１３４に係合され、前記第２固着部５３は、根部１３の後端部に形成された溝１３５、１３９と係合している。このようにして、前記導電端子５が絶縁本体１に取り付けられている。
【００１０】
図１乃至図４に示すように、前記内遮蔽ハウジング２と前記外遮蔽ハウジング３とは、いずれも金属材料から一体に打ち抜き成形され、前記内遮蔽ハウジング２は、当接板１１１、１１２の外周に被覆されるように、直立に形成された両側壁２１と水平に設けられて両側壁２１につながる頂壁２２及び底壁２３とを有して形成されている。これら前記当接板１１１、１１２と両側壁２１との間に第１収容空間４が画成されている。前記側壁２１の前端部と頂壁２２及び底壁２３は、囲むようにして遮蔽枠組を形成し、該側壁２１の後端部は、該遮蔽枠組から延出した部分に板体２６を形成し、且つ該板体２６の前部に後から前に向かう方向に板体２６より外方へ突出された圧接片２７が形成され、該板体２６の後部には、やや下方に矩形切欠口２８が設けられ、該切欠口２８の下方の板体２６の終端に鋭い圧接部２９が形成され、接地部材６の相応部位に圧接するようになっている。前記側壁２１の後端部は、絶縁本体１の根部１３の後端の両側に形成されたスリット１３１内に嵌め込まれ、前記圧接片２７は、該スリット１３１に圧接することにより、前記内遮蔽ハウジング２を固着させ、前記切欠口２８は、接地部材６の相応部位に対応している。前記外遮蔽ハウジング３は、前記遮蔽枠体３ａ及び前記遮蔽ボトムカバー３ｂを含み、前記遮蔽枠体３ａは、根部１３の外周に被覆され、且つ前方へ延伸して矩形枠口状に形成され、該遮蔽枠体３ａと内遮蔽ハウジング２間に第２収容空間７が画成される。前記遮蔽枠体３ａは、直立に形成された両側壁３２と、水平に形成されて両側壁を接続する頂壁３３ならびに底壁３４とを含み、この両側壁３２の後端の下部には、矩形孔３２１が設けられ、該矩形孔３２１の下方に突耳状接地片３１が一体に延伸されて、回路基板の接地回路に対応して接続される。前記頂壁３３の中間には凹所３７が形成されている。前記遮蔽ボトムカバー３ｂは、根部１３の後端面に被覆され、その下部の両側には、方枠状板体３８が前方へ延伸され、該板体３８の中間に前記矩形孔３２１に係合する係合片３８１が形成されている。前記内遮蔽ハウジング２の両側壁２１の中央部には、後方から前方へ曲折して延伸され、且つ第２収容空間７内に位置するフィンガー状弾性片２４が設けられ、前記外遮蔽ハウジング３の両側壁３２には、内遮蔽ハウジング２のフィンガー状弾性片２４と相応する位置に両フィンガー状弾性片３５が設けられ、該弾性片は前方から後方へ曲折して延伸し且つ第２収容空間７内に位置付けられている。前記弾性片２４，３５は、当接コネクタ（図示せず）が挿入される場合に、この当接コネクタの当接部分に圧接し、これをしっかり位置決めするように設けられている。該側壁３２の後部の上方に係合アーム３６が設けられ、この係合アーム３６は、内方へ曲折して根部１３の後端部の両側に係合している。
【００１１】
図４乃至図６に示すように、前記各接地部材６は、直立方向に設置される板状第１主本体部６１及び第２主本体部６２を有し、該第１主本体部６１と第２主本体部６２は、同一平面で交互して設置され、且つ第２主本体部６２は、第１主本体部１より広く、かつこの両本体部は、円弧部６６により接続されている。前記第１主本体部６１の先端には、ヘッド部６３が上方に延伸され、その中央部の両側に第１干渉部６３１が設けられている。該ヘッド部６３の終端には、曲折部６４が後方へ一体に延伸され、該曲折部６４から水平に後方へ延伸した後、下方へ傾けて延伸して接触部６５が形成され、前記切欠口２８の下方の鋭い圧接部２９に接触するように設けられている。前記第２主本体部６２から下方へ広い板状の接合部６７が曲折し延伸され、回路基板の接地回路に対応して接続され、本実施の形態において表面実装技術（ＳＭＴ）を採用し回路基板に半田付けされる。前記第２主本体部６２には、該接合部６７と所定の距離を隔てた両側に第２干渉部６２１が設けられている。前記接地部材６は、絶縁本体１の後方から根部１３の両側に対応させて組付けられ、そのヘッド部６３及び第１主本体部６１は、前記根部１３の横向きのグルーブ１３２内に収容され、さらに該ヘッド部６３は前記切欠口２８に対応させられる。前記第１固着部６３１は、グルーブ１３２の拡張部１３２１内に係合され、前記圧接部６５は、前記切欠口２８の下方の鋭い圧接部２９に圧接され、且つ上方向に変形され、前記第２主本体部６２は、前記グルーブ１３２の下方のやや狭いスロット１３３内に収容され、前記第２干渉部６２１は、スロット１３３の拡張部１３３１内に係合される。これによって、接地部材６は、絶縁本体１の根部１３内に安定して組付けられ、前記内遮蔽ハウジング２と緊密に接触することにより、接地効果とシールド機能の面で優れた結果をもたらす。また、前記接地部材６の接合部６７は、広い板状に形成され、回路基板との接合がさらにしっかりしたものとなり、且つ接地部材６は、単独に成型製造されるため、壊れた場合に取換えやすい。
【００１２】
上述の実施の形態は、単に本発明におけるより良い実施の形態にすぎず、本発明の請求範囲を限定するものではなく、当業者が本発明に基づいて行なう細部の修正或は変更など、いずれも本発明の特許請求の範囲に属するものとする。
【図面の簡単な説明】
【図１】  本発明に係る電気コネクタの斜視図である。
【図２】  本発明に係る電気コネクタの正面図である。
【図３】  本発明に係る電気コネクタの内遮蔽ハウジングを後側から見た斜視図である。
【図４】  本発明に係る電気コネクタを遮蔽ボトムカバーが組り付けられていない状態で後側から見た斜視図である。
【図５】  本発明に係る電気コネクタの図２のＶ-Ｖ線方向の断面図である。
【図６】  本発明に係る電気コネクタの接地部材の斜視図である。
【符号の説明】
１・・・絶縁本体
２・・・内遮蔽ハウジング
３・・・外遮蔽ハウジング
３ａ・・・遮蔽枠体
３ｂ・・・遮蔽ボトムカバー
４・・・第１収容空間
５・・・導電端子
６・・・接地部材
７・・・第２収容空間
１２・・・端子収容穴
１３・・・根部
２１，３２・・・側壁
２２，３３・・・頂壁
２３，３４・・・底壁
２４，３５・・・フィンガー状弾性片
２６・・・板体
２７・・・圧接片
２８・・・切欠口
２９・・・圧接部
３１・・・接地片
３６・・・係合アーム
３７・・・凹所
３８・・・方枠状板体
５１・・・第１固着部
５２・・・当接部
５３・・・第２固着部
５４・・・接合部
６１・・・第１主本体部
６２・・・第２主本体部
６３・・・ヘッド部
６４・・・曲折部
６５・・・接触部
６６・・・円弧部
６７・・・接合部
１１１・・・第１当接板
１１２・・・第２当接板
１１３・・・突条
１３１・・・スリット
１３２・・・グルーブ
１３３・・・スロット
１３４・・・開口
１３５，１３９・・・溝
３２１・・・矩形孔
３８１・・・係合片
６２１・・・第２干渉部
６３１・・・第１干渉部
１３２１，１３３１・・・拡張部
【図１】
0004077721.tif 000002
【図２】
0004077721.tif 000003
【図３】
0004077721.tif 000004
【図４】
0004077721.tif 000005
【図５】
0004077721.tif 000006
【図６】
0004077721.tif 000007